(57)【要約】【課題】遊技媒体貸出装置を提供すること。【解決手段】装置本体２１０内にコインユニット２１５を備え、このコインユニット２１５は、ＩＣコイン２５０のコイン投入口２０３を閉じるシャッタ２５１と、ＩＣコイン２５０の外周部に当接して側方に付勢される取込み部材２５３，２５３とを有し、ＩＣコイン２５０がコイン投入口２０３に投入されると、シャッタ２５１がコイン投入口２０３から退避し、ＩＣコイン２５０が取込み部材２５３，２５３を押し退けてコインユニット２１５内に取り込まれると、シャッタ２５１がコイン投入口２０３に突出してＩＣコイン２５０の逆流出を阻止する。【選択図】図６
2012105854.tif 000002
【特許請求の範囲】
【請求項１】
装置本体内にコインユニットを備える遊技媒体貸出装置において、
前記コインユニットは、コインの投入開口を閉じるシャッタと、コインの外周部に当接して側方に付勢される取込み部材とを有し、コインが前記投入開口に投入されると、前記シャッタが前記投入開口から退避し、コインが前記取込み部材を押し退けて取り込まれると、前記シャッタが前記投入開口に突出してコインの逆流出を阻止することを特徴とする遊技媒体貸出装置。
【請求項２】
前記取込み部材は板バネで形成され、コインの投入時に投入感覚が付与されることを特徴とする請求項１に記載の遊技媒体貸出装置。
【請求項３】
前記コインユニットは、前記投入開口から投入されたＩＣコインを所定の読み書き位置で保持する保持手段を備え、この保持手段を前記投入開口と略同じ高さ位置に設けるとともに、前記取込み部材がＩＣコインに押し退けられた際の反力を用いて当該ＩＣコインを前記読み書き位置に搬送することを特徴とする請求項１または２に記載の遊技媒体貸出装置。
【発明の詳細な説明】
【技術分野】
【０００１】
本発明は、コインを処理するコインユニットを備える遊技媒体貸出装置に関する。
【背景技術】
【０００２】
一般に、パチンコホール等の遊技場においては、遊技者の便宜を図るために、パチンコ機やスロットマシン等の各遊技機の側方に、価値が記録されたＩＣコイン又は現金の投入によってパチンコ球やメダル等の遊技媒体を貸し出す遊技媒体貸出装置が設置されている。この種の遊技媒体貸出装置は、コイン投入口から投入されたＩＣコインを所定位置で保持し、このＩＣコインに記録された価値の読み出すとともに、遊技機から媒体貸要求が送信された場合に、要求された貸媒体数に応じた価値を減算して記録する処理を行うコインユニットを備えている（例えば、特許文献１参照）。
【先行技術文献】
【特許文献】
【０００３】
【特許文献１】特開２００１−２９３２４２号公報
【発明の概要】
【発明が解決しようとする課題】
【０００４】
ところで、近年、この種のコインユニットを備える遊技媒体貸出装置に対し、例えば、細い糸で結んだＩＣコインをコイン投入口から投入し、このＩＣコインの価値を読み出した後に当該ＩＣコインをコイン投入口から引き抜くといった不正行為が発生しており、この不正行為を防止するための方策が模索されている。この方策の１つとして、コイン通路にフォトセンサを２個並置し、各フォトセンサの出力パルスからＩＣコインが進む方向や通過時間を取得することで、ＩＣコインの引き抜きを検知し、この引き抜きを検知した場合にコインユニットの動作を停止する制御を行うことが想定される。
しかし、この方策では、コイン通路に間隔をあけてフォトセンサを設けるとともに、このフォトセンサの出力から引抜きが生じたか否かを判定する必要があるため、コインユニットの構成が煩雑となり、コインユニットが大型化するといった問題がある。
本発明は、上述した事情に鑑みてなされたものであり、簡単な構成で、正当にコインを投入しないで不当に利益を得るような不正行為を防止できる遊技媒体貸出装置を提供することを目的とする。
【課題を解決するための手段】
【０００５】
上記目的を達成するために、本発明は、装置本体内にコインユニットを備える遊技媒体貸出装置において、前記コインユニットは、コインの投入開口を閉じるシャッタと、コインの外周部に当接して側方に付勢される取込み部材とを有し、コインが前記投入開口に投入されると、前記シャッタが前記投入開口から待避し、コインが前記取込み部材を押し退けて取り込まれると、前記シャッタが前記投入開口に突出してコインの逆流出を阻止することを特徴とする。
【０００６】
この構成において、前記取込み部材は板バネで形成され、コインの投入時に投入感覚が付与される構成としてもよい。また、前記コインユニットは、前記投入開口から投入されたＩＣコインを所定の読み書き位置で保持する保持手段を備え、この保持手段を前記投入開口と略同じ高さ位置に設けるとともに、前記取込み部材がＩＣコインに押し退けられた際の反力を用いて当該ＩＣコインを前記読み書き位置に搬送してもよい。
【発明の効果】
【０００７】
本発明によれば、アクチュエータやセンサを新たに設けることなく、簡単な構成でコインの引き抜きを防止でき、正当にコインを投入しないで不当に利益を得るような不正行為を防止できる。
【図面の簡単な説明】
【０００８】
【図１】本実施形態に係るパチンコ遊技機を設置した遊技機島を示す図である。
【図２】パチンコ遊技機をＣＲユニットと共に示す斜視図である。
【図３】ＣＲユニットの内部構成を示す側面図である。
【図４】コインユニットの内部構成を示す図である。
【図５】コインユニットのコイン投入口近傍を示した部分拡大図である。
【図６】コイン投入口に設けられたシャッタの構成を示す図であり、Ａはシャッタが閉鎖された状態を示し、Ｂはシャッタが開放された状態を示す斜視図である。
【図７】コイン投入口にコインが投入される際の動作を説明する図である。
【図８】コイン投入口にコインが投入される際の動作を説明する図である。
【発明を実施するための形態】
【０００９】
以下、図面を参照して本発明の一実施の形態について説明する。
図１は、本実施形態に係るパチンコ遊技機１００を設置した遊技機島（島設備ともいう）１０を示す図である。遊技機島１０は、パチンコ遊技店などの遊技場においてパチンコ遊技機１００などの複数の遊技機を設置するための設備であり、図１に示すように、略７０ｃｍの高さ位置に複数のパチンコ遊技機１００を、例えば背中合わせに２列に延びるように併設して成る。なお、遊技機島１０を遊技場の壁際に設置する場合には、壁に沿ってパチンコ遊技機１００が１列に併設される。
【００１０】
遊技機島１０の上部には、遊技者の操作により点灯／点滅して店員を呼び出す呼出ランプ１０１がパチンコ遊技機１００と１対１で対応するように設けられている。また、パチンコ遊技機１００は、プリペイド媒体を購入、或いは、プリペイド媒体に現金をチャージし、該プリペイド媒体に記録された残価値を代償として遊技球（遊技媒体）を借りて遊技する、いわゆるＣＲ機と呼ばれる遊技機であり、各パチンコ遊技機１００の左側には、パチンコ遊技機１００と１対１で対応するようにプリペイド媒体を読み取るＣＲ（Card Reader）ユニット（遊技媒体貸出装置）２００が横並びに配置されている。プリペイド媒体にはＩＣを内蔵した硬貨形状のＩＣコインが用いられている。
【００１１】
本実施形態にかかるパチンコ遊技機１００は、いわゆる、封入球式のパチンコ遊技機である。この封入球式のパチンコ遊技機（封入球式遊技機）では、例えば、遊技内容等は、従来のパチンコ遊技機と同様とすることが可能となっているとともに、外形等のサイズも同様となっており、パチンコ遊技店の現状の遊技機島１０に設置可能となっているが、遊技機島１０の球供給機構や球排出機構を用いることがないものとなっている。すなわち、パチンコ遊技機１００は、予め封入された遊技球を用い、遊技者の持球数を限度に遊技球を遊技領域に発射可能とされる。持球数は、ＣＲユニット２００に投入中のＩＣコイン等の記録媒体に記録されている獲得球数と、封入球式遊技機が保持している発射可能球数との合計値に相当する。獲得球数は、封入球式遊技機の発射可能球数をＣＲユニット２００の記録媒体に価値移行したものであり、同じ封入球式遊技機で遊技する条件の下、封入球式遊技機の発射可能球数への価値移行（払い戻し）が許可されている。発射可能球数から獲得球数への価値移行は、遊技終了に伴う記録媒体の返却操作時に行われ、このときには発射可能球数の全部が獲得球数に価値移行される。この記録媒体を同じＣＲユニット２００に再投入したときには獲得球数が発射可能球数に価値移行可能になる。なお、発射可能球数の一部だけを、他の遊技者の記録媒体の獲得球数に価値移行可能にして、持球を他の遊技者に分け与えることもできる。
封入球式遊技機で遊技球を発射すると発射された遊技球数に対応して発射可能球数のデータが減算され、また、発射された遊技球が各種入賞口や変動入賞装置等の入賞具に入賞して賞球（遊技球）が発生した場合は、実際の遊技球を払い出すことなく、前記発射可能球数のデータに賞球数が加算されるようになっている。また、発射可能球数のデータがゼロとなると、遊技球の発射ができない状態となる。この状態でＩＣコイン等の記憶媒体に記録されている獲得球数を発射可能球数に移行して発射可能球数を補充すると再び遊技球の発射が可能となる。
遊技球貸出装置に投入される記録媒体には、プリペイド残価値が記録されており、獲得球数及び発射可能球数がゼロとなり持球が無くなった場合には、球貸操作によってプリペイド残価値を対価に貸球を受けることができ、かかる貸球数が持球数に加算される。また、遊技者が遊技店に預けている遊技球（いわゆる「貯球」）を記録媒体に紐付けておくことで、貯球の払出操作によって貯球を持球数に移行することもできる。
【００１２】
また、発射された遊技球は、遊技領域に至って一部は、入賞して遊技盤の裏面側に導かれてセーフ球として回収されるとともに、残りの入賞しなかった遊技球はアウト球として回収され、これら回収された遊技球が再び発射可能な状態となり、遊技球はパチンコ遊技機１００内で循環するようになっている。
すなわち、このパチンコ遊技機１００は、発射位置の遊技球を遊技盤の前面側に形成される遊技領域に向けて発射するとともに、遊技領域の入賞具に入賞して遊技盤の裏面側に導かれたセーフ球および入賞具に入賞しないアウト球の各々を回収して、再び遊技領域に発射する封入球式の遊技機である。
【００１３】
図２は、パチンコ遊技機１００をＣＲユニット２００と共に示す斜視図である。
パチンコ遊技機１００は、図２に示すように、矩形枠状に構成された機枠１１０を備え、この機枠１１０の一側方（対応するＣＲユニット２００が配置される側方）には、該機枠１１０に対し回動可能に矩形枠状の前面枠１２０が軸支されている。また、前面枠１２０は、当該前面枠１２０に備えられる各種部材等の取付用のベースとなる前面枠本体１３０（本体枠）と、当該前面枠本体１３０に対して、その前面側に回動可能に軸支されたガラス枠１４０とを備え、前面枠本体１３０の前面のガラス枠１４０を開けると、前面枠本体１３０の下側に発射ユニット（図示略）が臨む構成となっている。
【００１４】
前面枠本体１３０は、矩形枠状の機枠１１０内にちょうど収まるように、概略矩形板状に構成されるとともに、その中央から上端部に渡る前面部分に遊技盤を嵌め込まれて収容されている。そして、前面枠本体１３０の前側には上記したガラス枠１４０が配置され、このガラス枠１４０に嵌め込まれたガラス板１４１を通じて、前面枠本体１３０に収容された遊技盤の前面側の少なくとも遊技領域の部分が視認可能となっている。
【００１５】
ガラス枠１４０の前面側には、遊技領域の視認を妨げない位置に、図２に示すように、装飾ランプ１１，…、サイドランプ１２，１２、スピーカ１３，１３等が設けられている。
パチンコ遊技機１００では、上述のように賞球の払い出しは行われず、上述の出球数（遊技球が入賞口等に入って出てきた賞球数）、入球数（遊技者が遊技機に打ち込んだ球数）、差球数（出球数から入球数を引いた球数）、持球数等は、実際の遊技球の個数ではなく、データ上の数値となる。すなわち、実際に使用される遊技球は、循環使用される、限られた所定数（遊技内容や機種によって異なるが例えば８０〜９０発）しかなく、持球数は、例えば、遊技領域に発射される遊技球を検知してカウントした発射球数、発射されたが戻ってしまった遊技球を検知してカウントしたファウル球数、遊技領域に発射されて回収された遊技球を検知してカウントした回収球数、入賞した場合の賞球数、遊技店から借りた貸球数等の数値から上述の入球数、出球数、差球数、持球数が得られる。
【００１６】
前面枠本体１３０の前面側のガラス枠１４０の下側には、表示装置としての液晶ディスプレイを有する表示ユニット１５１や、遊技球を発射する発射ユニットを操作するための回転操作式の操作ハンドル１５３などが取り付けられている。表示ユニット１５１は、例えば、持球数の情報、金額情報（ＩＣコイン等の記憶媒体に記憶された残額等）、貯球情報（景品と交換せずに遊技店側に貯蓄した遊技球数等）等の遊技情報を表示し、実際の遊技球の払い出しがなくても、いつでも、持球数を確認できるようになっている。操作ハンドル１５３は、回転することにより発射勢を調整できるようになっている。また、操作ハンドル１５３にはタッチセンサ（図示略）が設けられ、遊技者の手を接触させることで、信号を発射制御装置（図示略）に出力し、発射制御装置の制御に基づいて発射ユニットの発射装置を作動させて遊技球を発射させる。
また、ガラス枠１４０における表示ユニット１５１の右側には、球貸ボタン１５５、及び、返却ボタン１５７が並設されている。球貸ボタン１５５は遊技球の貸し出し操作のためのボタンであり、返却ボタン１５７はＣＲユニット２００からＩＣコインを排出させるためのボタンである。球貸ボタン１５５が操作されると、パチンコ遊技機１００からＣＲユニット２００に対して球貸要求が送信され、ＩＣコインに残価値が存在する限りにおいて、ＣＲユニット２００からパチンコ遊技機１００に球貸許可指令が送信され、該パチンコ遊技機１００の持球数のデータが加算される。
【００１７】
ＣＲユニット２００は、図２に示すように、縦長の直方体型の筐体として構成され、その前面には、高額紙幣（例えば、「一万円」、「五千円」や「二千円」などの紙幣）を含む各種紙幣を挿入するための紙幣挿入口２０１、ＩＣコインを投入するためのコイン投入口（投入開口）２０３、把持部２０５、コイン排出口２０７、会員カード挿入口２０９が設けられている。ＣＲユニット２００は、紙幣挿入口２０１から紙幣が挿入されると、紙幣の額面に応じた価値データが記録されたＩＣコインを発行する。このＩＣコインはパチンコ遊技機１００の返却ボタン１５７の操作に応じてコイン排出口２０７から排出される。また、このＩＣコインがコイン投入口２０３に投入されると、ＣＲユニット２００はＩＣコインの残価値を読み取りパチンコ遊技機１００の表示ユニット１５１に残価値に応じた度数を表示させる。
【００１８】
ＣＲユニット２００は、装置本体２１０と、この装置本体２１０を正面から着脱自在に保持するフレーム枠２１１とを備える。装置本体２１０は、図３に示すように、縦長の直方体型の筐体２１０Ａ内に、紙幣識別ユニット２１３、コインユニット２１５、会員カード読取ユニット２１７及び制御ユニット２１９が内蔵されている。紙幣識別ユニット２１３は、紙幣挿入口２０１から挿入された紙幣の真偽判別、金種判別を行い、有効な紙幣を識別したときは受付けを許容して紙幣を内部に取込み、コインユニット２１５にて発行するＩＣコインの価値データを送信する。
コインユニット２１５は、紙幣識別ユニット２１３から送信された価値データに基づき、当該価値データが記録された新規なＩＣコインの発行、または、既存のＩＣコインに対して当該価値データを加算して記録する。また、ＩＣコインがコイン投入口２０３から投入されると、このＩＣコインに記憶された残価値を読み取り、パチンコ遊技機１００から球貸要求が送信された場合に、要求された貸球数に応じた価値データを減算して記録する。制御ユニット２１９は、ＣＲユニット２００全体を制御するものであり、対応するパチンコ遊技機１００及びホストコンピュータ（図示略）と通信することにより貸球の管理を行う。
【００１９】
一方、フレーム枠２１１は、遊技機島１０（図１）を構成する枠部材（図示略）に固定され、前後方向に延びて上下に平行して配設される上ガイドフレーム２２１及び下ガイドフレーム２２３と、その上下間を連結する垂直ガイドフレーム２２５とを備えて略コ形状に形成されている。また、下ガイドフレーム２２３の下部には、電源装置（図示略）が収容されている。各ガイドフレーム２２１、２２３及び２２５は、装置本体２１０を保持するとともに、装置本体２１０が前進または後進する際に、当該装置本体２１０をガイドするように側縁部を備え、断面略コ字形状に形成されている。なお、この図３では、垂直ガイドフレーム２２５の手前側の側縁部を一部省略して記載している。
【００２０】
ＣＲユニット２００には、図３に示すように、装置本体２１０をフレーム枠２１１にロックするロック機構２３０が設けられている。このロック機構２３０は、ＣＲユニット２００の装置本体２１０がフレーム枠２１１から不正に引き抜かれることを防止するものであり、フレーム枠２１１側に設けられた２つの爪部材２３１，２３１と、装置本体２１０側に設けられた２つの係合孔２４１，２４１とを備え、これら係合孔２４１，２４１に爪部材２３１，２３１がそれぞれ係合することで装置本体２１０がフレーム枠２１１にロックされる。
この爪部材２３１，２３１は、前下がりのテーパ面としての上面部２３１Ａを備え、上下方向に延びる上下動プレート２３３に一体に設けられている。この上下動プレート２３３は、上方向にバネ付勢されるとともに、フレーム枠２１１の垂直ガイドフレーム２２５に上下に移動可能に設けられている。一方、係合孔２４１，２４１は、筐体２１０Ａの背面における上記爪部材２３１，２３１に対応する位置に形成されている。
装置本体２１０をフレーム枠２１１の前面側から差し込むと、フレーム枠２１１に設けられた爪部材２３１，２３１が装置本体２１０の背面に形成された係合孔２４１，２４１に侵入し、この爪部材２３１，２３１の上面部２３１Ａ，２３１Ａが係合孔２４１，２４１と当接することで上下動プレート２３３を押し下げる。そして、爪部材２３１，２３１が係合孔２４１，２４１との完全係合位置まで差し込まれると、爪部材２３１，２３１の上面部２３１Ａ，２３１Ａと係合孔２４１，２４１との当接が解除され、上下動プレート２３３がばね力により上方に押し上げられる。これにより、爪部材２３１，２３１が係合孔２４１，２４１と完全係合することにより、装置本体２１０がフレーム枠２１１にロックされる。
【００２１】
次に、コインユニット２１５について説明する。図４は、コインユニット２１５の内部構成を示す図である。
コインユニット２１５の上端近傍の正面側には、上記コイン投入口２０３が設けられ、このコイン投入口２０３には、コイン投入口２０３を開閉するシャッタ２５１と、当該コイン投入口２０３の上部及ぶ下部にそれぞれ対向して配置される取込み部材２５３，２５３とを備える。これらシャッタ２５１及び取込み部材２５３については後述する。
また、コイン投入口２０３に近接した位置（所定の読み書き位置）には、コイン投入口２０３から投入されたＩＣコイン２５０を一時的に保持し、この保持されたＩＣコイン２５０との間で情報の読み書きを行うための第１情報読み書き部２５５が配置される。この第１情報読み書き部２５５の下方には、投入されたＩＣコイン２５０を直接遊技者に返却するための返却通路２５６が形成されている。また、返却通路２５６と分岐し、第１情報読み書き部２５５の側方から下方へ向けて略直線状をなす貯留通路２５７が形成されている。この貯留通路２５７は、無価値のＩＣコイン２５０を一時的に貯留するために使用される。返却通路２５６及び貯留通路２５７は、ＩＣコイン２５０がその通路内を自重によって転動可能なように略垂直に形成され、それぞれコイン排出口２０７に連結されている。
【００２２】
返却通路２５６の入口部及び貯留通路２５７の入口部には、図５に示すように、ＩＣコイン２５０を第１情報読み書き部２５５にて保持する保持部材としての返却通路用ゲート２５８及び貯留通路用ゲート２６０がそれぞれ設けられている。返却通路用ゲート２５８は、制御ユニット２１９からの制御信号によって制御されるソレノイド２５９によって駆動されるゲート部材２５８Ａを備え、このゲート部材２５８Ａが返却通路２５６の側壁から返却通路２５６内へ突出することにより、ＩＣコイン２５０が返却通路２５６へ流下することを防止する。
【００２３】
貯留通路用ゲート２６０は、制御ユニット２１９からの制御信号により制御されるソレノイド２６１によって駆動される第１ゲート部材２６０Ａ、第２ゲート部材２６０Ｂを備え、この第１ゲート部材２６０Ａが貯留通路２５７の側壁から貯留通路２５７内へ突出することにより、ＩＣコイン２５０が貯留通路２５７へ転動することを防止する。また、第２ゲート部材２６０Ｂは、上記ソレノイド２６１により駆動され、第１ゲート部材２６０Ａが貯留通路２５７内へ突出すると同時に、この貯留通路２５７から退避し、第１ゲート部材２６０Ａが貯留通路２５７から退避すると同時に、この貯留通路２５７内へ突出するように構成される。これにより、第１情報読み書き部２５５に同時に複数のＩＣコイン２５０が搬送されることが防止され、この第１情報読み書き部２５５での情報の読み書きを正確に行うことができる。
そして、返却通路用ゲート２５８のゲート部材２５８Ａ及び貯留通路用ゲート２６０の第１ゲート部材２６０Ａの両方が各通路内に突出している場合、コイン投入口２０３から投入されたＩＣコイン２５０は第１情報読み書き部２５５に保持される。
【００２４】
返却通路２５６と貯留通路２５７とは、図４に示すように、コインユニット２１５の下部で合流し、コイン排出口２０７へと連結されている。貯留通路２５７には、返却通路２５６と合流する直前において、貯留通路２５７に貯留された無価値のＩＣコイン２５０を一時的に保持し、この保持されたＩＣコイン２５０との間で情報の読み書きを行うための第２情報読み書き部２６２が配置される。この第２情報読み書き部２６２には、無価値のＩＣコイン２５０を保持するストッパ部２６３が設けられている。このストッパ部２６３は、制御ユニット２１９からの制御信号により制御されるソレノイド２６４によって駆動され、貯留通路２５７内に貯留されたＩＣコイン２５０を第２情報読み書き部２６２で保持する第１ストッパピン２６３Ａと、当該ＩＣコイン２５０を第２情報読み書き部２６２の手前で保持する第２ストッパピン２６３Ｂとを備える。この第２ストッパピン２６３Ｂは、第１ストッパピン２６３Ａが貯留通路２５７内へ突出すると同時に、この貯留通路２５７から退避し、第１ストッパピン２６３Ａが貯留通路２５７から退避すると同時に、この貯留通路２５７内へ突出するように構成される。これにより、一方のストッパピンが貯留通路２５７内に突出しているため、２枚以上のＩＣコイン２５０が同時にコイン排出口２０７へ転動してしまうことを防止できる。
【００２５】
コインユニット２１５は、返却通路２５６及び貯留通路２５７の側方に配置される回路基板（図示略）を備え、この回路基板には、第１情報読み書き部２５５に保持されたＩＣコイン２５０から価値データを読み取り、あるいはそのＩＣコイン２５０に記録された価値データを更新するための第１アンテナ２６５と、第２情報読み書き部２６２に保持されたＩＣコイン２５０に記録された価値データを更新するための第２アンテナ２６６とが実装されている。
これら第１アンテナ２６５及び第２アンテナ２６６は、それぞれ制御ユニット２１９と電気的に接続されており、ＩＣコイン２５０から読み取った価値データ及びＩＣコイン２５０に書き込む価値データを制御ユニット２１９との間で通信する。第１アンテナ２６５及び第２アンテナ２６６は、無線認証システム（ＲＦ−ＩＤ）などで利用されるアンテナなどで構成され、ＩＣコイン２５０に埋め込まれたＩＣタグとの間で非接触にデータの送受信を行う。
【００２６】
第１情報読み書き部２５５には、ＩＣコイン２５０が第１読み書き部２５５に存在するか否かを検知するための投入センサ２６７が設けられる。同様に、第２情報読み書き部２６２には、ＩＣコイン２５０が第２情報読み書き部２６２に存在するか否かを検知するためのコイン有無センサ２６８が設けられる。また、貯留通路２５７の入口部には、第１ゲート部材２６０Ａの下流側に、貯留通路２５７内に貯留されているＩＣコイン２５０の満量を検知するコイン満量センサ２６９が設けられる。さらに、第２情報読み書き部２６２に近接した上流側には、貯留通路２５７内のＩＣコイン２５０の貯留量が下限値を下回ったか否かを検知する下限センサ２７０が設けられている。これら各センサは、制御ユニット２１９と電気的に接続され、例えば、コインユニット２１５の一方の側壁に設置された発光部と他方の側壁に設置された受光部とからなるフォトセンサ等で構成される。そして、発光部からの光がＩＣコイン２５０に遮られて受光部に届かなくなることで、当該ＩＣコイン２５０がセンサの設置された箇所に存在することを検知する。
【００２７】
コインユニット２１５は、第１情報読み書き部２５５にＩＣコイン２５０が存在しない待機状態では、返却通路用ゲート２５８のゲート部材２５８Ａ及び貯留通路用ゲート２６０の第１ゲート部材２６０Ａの両方を各通路内に突出させ、コイン投入口２０３から投入されたＩＣコイン２５０を第１情報読み書き部２５５に保持可能となっている。
そして、コイン投入口２０３からＩＣコイン２５０が投入されると、このＩＣコイン２５０は、第１情報読み書き部２５５に保持されるとともに、投入センサ２６７によりＩＣコイン２５０の存在が検知される。すると、制御ユニット２１９は、第１情報読み書き部２５５に保持されているＩＣコイン２５０から第１アンテナ２６５を通じて、当該ＩＣコイン２５０に記録されている残価値を読み出す。
次に、パチンコ遊技機１００のガラス枠１４０に設けられた球貸ボタン１５５（図２）が押下されると、制御ユニット２１９は、遊技球の所定の貸出量に相等する価値を差し引いて、残価値を更新する。その後、更新された残価値を、第１アンテナ２６５を通じて当該ＩＣコイン２５０に書き込む。このＩＣコイン２５０の残価値が０、すなわち、無価値コインになった場合には、制御ユニット２１９は、貯留通路用ゲート２６０の第１ゲート部材２６０Ａを貯留通路２５７から退避させ、この無価値コインを貯留通路２５７側に硫化させる。また、第１情報読み書き部２５５に保持されたＩＣコイン２５０に価値が残っている状態で、パチンコ遊技機１００のガラス枠１４０に設けられた返却ボタン１５７（図２）が押下されると、制御ユニット２１９は、返却通路用ゲート２５８のゲート部材２５８Ａを返却通路２５６から退避させ、このＩＣコイン２５０をコイン排出口２０７から返却する。
【００２８】
また、制御ユニット２１９は、紙幣識別ユニット２１３に紙幣が挿入され、この紙幣に相当する価値データを受信すると、第２アンテナ２６６を通じて、第２情報読み書き部２６２に保持された無価値のＩＣコイン２５０を当該価値データの値に書き換える。そして、パチンコ遊技機１００の球貸ボタン１５５が押下されると、制御ユニット２１９は、この第２情報読み書き部２６２に保持されたＩＣコイン２５０の残価値から遊技球の所定の貸出量に相等する価値を差し引いて残価値を更新する。その後、更新された残価値を、第２アンテナ２６６を通じて当該ＩＣコイン２５０に書き込む。また、第２情報読み書き部２６２に保持されたＩＣコイン２５０に価値が残っている状態で、パチンコ遊技機１００の返却ボタン１５７が押下されると、制御ユニット２１９は、ストッパ部２６３を操作して当該ＩＣコイン２５０をコイン排出口２０７から返却し、貯留通路２５７から次の無価値のＩＣコインを第２情報読み書き部２６２に供給する。なお、第２情報読み書き部２６２に保持されたＩＣコイン２５０に残価値がない場合には、返却ボタン１５７が押下されても、ＩＣコイン２５０は返却されない。
【００２９】
ところで、近年、この種のコインユニット２１５を備えるＣＲユニット２００に対し、例えば、細い糸で結んだＩＣコイン２５０をコイン投入口２０３から投入し、このＩＣコイン２５０の価値を第１アンテナ２６５を通じて読み出した後に当該ＩＣコイン２５０をコイン投入口２０３から逆流させて引き抜くといった不正行為が発生しており、この不正行為を防止するための方策が模索されている。
本構成では、コインユニット２１５は、上述のように、コイン投入口２０３を閉じるシャッタ２５１と、当該コイン投入口２０３の上部及ぶ下部にそれぞれ対向して配置される取込み部材２５３，２５３とを備える。
【００３０】
シャッタ２５１は、図６に示すように、本体部２７１とシャッタ部２７２とを備えて略Ｌ字形状に一体に形成されている。この本体部２７１は、コイン投入口２０３に回動自在に取り付けられ、シャッタ部２７２がコイン投入口２０３を閉鎖する閉鎖位置（図６Ａ）と、コイン投入口２０３を開放する開放位置（図６Ｂ）との間で回動する。シャッタ２５１は、回動軸に設けられたばね部材（図示略）により、コイン投入口２０３を閉鎖する方向に付勢されている。また、コインユニット２１５の壁面２１５Ａには、シャッタ部２７２を収容する凹部２７３が形成されており、図６Ｂに示すように、シャッタ２５１が開放された際にシャッタ部２７２が凹部２７３に収容されることで、コイン投入口２０３を完全に開放することが可能となり、ＩＣコイン２５０の投入をスムーズに行うことができる。
また、取込み部材２５３，２５３は板ばねで形成され、各取込み部材２５３，２５３間の距離はＩＣコイン２５０の直径よりも短く形成される。このため、コイン投入口２０３からＩＣコイン２５０を投入すると、取込み部材２５３，２５３はＩＣコイン２５０の外周部に当接し、この外周部によって側方に付勢される。これにより、コイン投入時には、ＩＣコイン２５０が取込み部材２５３，２５３を側方に押し退けることにより投入感覚が付与される。
そして、このＩＣコイン２５０が取込み部材２５３，２５３を押し退けてコインユニット２１５内に取り込まれると、シャッタ２５１は、ばね力によりシャッタ部２７２がコイン投入口２０３内に突出することで、ＩＣコイン２５０がコイン投入口２０３から逆流出させることを防止でき、当該ＩＣコイン２５０の引き抜きといった不正行為を防止できる。
【００３１】
ここで、コイン投入口２０３を開閉するシャッタとして、例えば、アクチュエータにより駆動されるものを採用することも考えられる。しかし、本構成のコインユニット２１５は、コイン投入口２０３の近傍に第１情報読み書き部２５５を備え、貯留通路用ゲート２６０及び返却通路用ゲート２５８が配置されるため、さらにシャッタを駆動させるためのアクチュエータを配置するには、第１情報読み書き部２５５をコイン投入口２０３から下がった位置に設けざるを得なく、その分、コインユニット２１５の高さ寸法が大きくなり、コインユニット２１５が大型化してしまう。
本構成では、シャッタ２５１をアクチュエータを用いることなく、ばね部材の付勢力により閉鎖するように構成したため、コイン投入口２０３近傍の構成をまとまりよく配置することができ、第１情報読み書き部２５５を当該コイン投入口２０３と略同一の高さ位置に設けることができる。従って、コインユニット２１５の高さ方向の大型化を抑制することができるとともに、同じ高さのコインユニット内に貯留可能なコイン数を増やすことができる。
【００３２】
次に、コイン投入時のシャッタ２５１の動作について説明する。
ＩＣコイン２５０をコイン投入口２０３に投入しようとすると、図７（Ａ）、（Ｂ）に示すように、ＩＣコイン２５０の先端がシャッタ部２７２に当接し、このＩＣコイン２５０の投入する方向の力によって、シャッタ２５１は、ばね力に抗してシャッタ部２７２を開放する方向に回動する。そして、このシャッタ部２７２は、図７（Ｃ）、（Ｄ）に示すように、凹部２７３内に退避することで、コイン投入口２０３は完全に開放されてＩＣコイン２５０がスムーズに投入される。
ＩＣコイン２５０を更に押し込むと、図７（Ｅ）、（Ｆ）に示すように、このＩＣコイン２５０の外周部２５０Ａが取込み部材２５３，２５３に当接し、この取込み部材２５３，２５３を側方に押し退ける。本構成では、取込み部材２５３，２５３は、板ばねで形成されているため、押し退ける際に、この取込み部材２５３，２５３の反力（復元力）がＩＣコイン２５０にかかるため、投入感覚を付与することができ、遊技者が誤ってＩＣコイン２５０を投入することを防止できる。
【００３３】
更に、ＩＣコイン２５０を押し込んでいくと、図８（Ａ）、（Ｂ）に示すように、ＩＣコイン２５０の最大径となる外周部が取込み部材２５３，２５３を通過する。このため、取込み部材２５３，２５３の反力（復元力）は、図中矢印Ｘ１で示すように、ＩＣコイン２５０をコインユニット２１５内の第１情報読み書き部２５５に導くように作用する。
このため、ＩＣコイン２５０は、図８（Ｃ）、（Ｄ）に示すように、遊技者が力を加えなくとも自動的にコインユニット２１５内に取り込まれる。そして、ＩＣコイン２５０が完全にコインユニット２１５内に取り込まれると、このＩＣコイン２５０とシャッタ部２７２との係合が解除されることにより、図８（Ｅ）、（Ｆ）に示すように、このシャッタ部２７２がばね力によって、再び、コイン投入口２０３に突出する。これにより、コイン投入口２０３が閉鎖されるため、このコイン投入口２０３を通じてＩＣコイン２５０を引き抜くことが防止される。
【００３４】
以上、説明したように、本実施形態によれば、装置本体２１０内にコインユニット２１５を備え、このコインユニット２１５は、ＩＣコイン２５０のコイン投入口２０３を閉じるシャッタ２５１と、ＩＣコイン２５０の外周部に当接して側方に付勢される取込み部材２５３，２５３とを有し、ＩＣコイン２５０がコイン投入口２０３に投入されると、シャッタ２５１がコイン投入口２０３から退避し、ＩＣコイン２５０が取込み部材２５３，２５３を押し退けてコインユニット２１５内に取り込まれると、シャッタ２５１がコイン投入口２０３に突出してＩＣコイン２５０の逆流出を阻止するため、アクチュエータやセンサを新たに設けることなく、簡単な構成でＩＣコイン２５０の引き抜きを防止でき、正当にコインを投入しないで不当に利益を得るような不正行為を防止できる。
【００３５】
また、本実施形態によれば、コインユニット２１５は、コイン投入口２０３から投入されたＩＣコイン２５０を第１情報読み書き部２５５で保持する返却通路用ゲート２５８及び貯留通路用ゲート２６０を備え、これら返却通路用ゲート２５８及び貯留通路用ゲート２６０をコイン投入口２０３と略同じ高さ位置に設けるとともに、取込み部材２５３，２５３がＩＣコイン２５０に押し退けられた際の反力を用いて当該ＩＣコイン２５０を第１情報読み書き部２５５に搬送するため、従前のように重力を利用してＩＣコイン２５０を搬送するものに比べて、コインユニット２１５の高さ寸法を抑えることができ、コインユニット２１５の大型化を抑制できる。さらに、取込み部材２５３，２５３の反力でＩＣコイン２５０を搬送するため、このＩＣコイン２５０が途中で詰まるような事態を防止でき、当該ＩＣコイン２５０を確実に第１情報読み書き部２５５まで搬送することができる。
【００３６】
以上、本発明の一実施形態について説明したが、本発明はこれに限定されるものではない。例えば、本実施形態では、遊技媒体貸出装置に対応して設置される遊技機が封入球式のパチンコ機である場合について説明したが、これに限るものではなく、一般的な非封入球式のパチンコ遊技機（すなわち、遊技機の前面枠に貸玉や賞球を受ける受け皿を備え、盤面に投入する実遊技球が受け皿から発射装置に供給される弾球遊技機）や、メダルを投入して遊技するスロットマシン、アレンジボール、じゃん球、等の遊技機が設置された遊技島において、これら遊技機の台間または側方に設置される遊技媒体貸出装置すべてに本発明を適用できることは勿論である。
【符号の説明】
【００３７】
１０    遊技機島
１００  パチンコ遊技機
１５５  球貸ボタン
１５７  返却ボタン
２００  ＣＲユニット
２０１  紙幣挿入口
２０３  コイン投入口（投入開口）
２０７  コイン排出口
２１０  装置本体
２１１  フレーム枠
２１３  紙幣識別ユニット
２１５  コインユニット
２１９  制御ユニット
２５０  ＩＣコイン
２５０Ａ  外周部
２５１  シャッタ
２５３  取り込み部材
２５５  第１情報読み書き部（所定の読み書き位置）
２５６  返却通路
２５７  貯留通路
２５８  返却通路用ゲート（保持部材）
２６０  貯留通路用ゲート（保持部材）
２６２  第２情報読み書き部
２６３  ストッパ部
２６５  第１アンテナ
２６６  第２アンテナ
２７１  本体部
２７２  シャッタ部
２７３  凹部
【図１】
2012105854.tif 000003
【図２】
2012105854.tif 000004
【図３】
2012105854.tif 000005
【図４】
2012105854.tif 000006
【図５】
2012105854.tif 000007
【図６】
2012105854.tif 000008
【図７】
2012105854.tif 000009
【図８】
2012105854.tif 000010